(57)【要約】【課題】素子制御情報の転送時間を短縮すること。【解決手段】超音波プローブは、記憶部と、送受信部と、制御部とを備える。記憶部は、各振動子の位置に対応付けて、当該振動子における超音波の送受信に関する条件を示す素子制御情報を記憶する。送受信部は、前記記憶部が記憶する素子制御情報群に基づいて、振動子群において超音波を送受信する。制御部は、超音波を送受信後に、第１の振動子の位置に対応付けて記憶される素子制御情報を、第２の振動子の位置に対応付けて記憶される素子制御情報によって更新する。【選択図】図３
2015131031.tif 000002
【特許請求の範囲】
【請求項１】
各振動子の位置に対応付けて、当該振動子における超音波の送受信に関する条件を示す素子制御情報を記憶する記憶部と、
前記記憶部が記憶する素子制御情報群に基づいて、振動子群において超音波を送受信する送受信部と、
超音波を送受信後に、第１の振動子の位置に対応付けて記憶される素子制御情報を、第２の振動子の位置に対応付けて記憶される素子制御情報によって更新する制御部と
を備えたことを特徴とする超音波プローブ。
【請求項２】
前記制御部は、超音波を送受信するごとに、前記素子制御情報群が更新される規則を規定した制御情報を受信し、前記第１の振動子の位置に対応付けて記憶される素子制御情報を、前記規則に基づいて、前記第２の振動子の位置に対応付けて記憶される素子制御情報によって更新することを特徴とする請求項１に記載の超音波プローブ。
【請求項３】
前記制御情報は、前記素子制御情報の少なくとも一部を再利用するか否かを示す情報を更に含み、
前記制御部は、前記制御情報が前記素子制御情報の少なくとも一部を再利用することを示す場合に、前記第２の振動子の位置に対応付けて記憶される素子制御情報によって、前記第１の振動子の位置に対応付けて記憶される素子制御情報を更新する
ことを特徴とする請求項２に記載の超音波プローブ。
【請求項４】
前記制御部は、前記素子制御情報の一部を再利用することを示す前記制御情報に加えて、新たな素子制御情報を受信し、受信した新たな素子制御情報と、前記第２の振動子の位置に対応付けて記憶される素子制御情報とによって、前記第１の振動子の位置に対応付けて記憶される素子制御情報を更新することを特徴とする請求項３に記載の超音波プローブ。
【請求項５】
前記記憶部は、撮像モードごとに当該撮像モードにおける送受信に関する条件を示す素子制御情報を記憶する複数の記憶領域を有し、
前記制御情報には、前記撮像モードを特定する情報が含まれ、
前記制御部は、前記制御情報で特定される撮像モードの素子制御情報を記憶する記憶領域において、前記第１の振動子の位置に対応付けて記憶される素子制御情報を、前記第２の振動子の位置に対応付けて記憶される素子制御情報によって更新することを特徴とする請求項２〜４のいずれか一つに記載の超音波プローブ。
【請求項６】
前記制御情報は、開口移動方向における走査線の移動量を示す移動量情報を含み、
前記制御部は、前記移動量情報に基づいて、前記第１の振動子の位置に対応付けて記憶される素子制御情報を、前記規則に基づいて、前記第２の振動子の位置に対応付けて記憶される素子制御情報によって更新する
ことを特徴とする請求項２〜５のいずれか一つに記載の超音波プローブ。
【請求項７】
前記制御部は、前記素子制御情報の開口移動方向における移動方向を変更可能であることを特徴とする請求項６に記載の超音波プローブ。
【請求項８】
前記素子制御情報は、振動子ごとの送信遅延時間及び受信遅延時間の少なくともいずれか一方を示す情報であることを示す請求項１〜７のいずれか一つに記載の超音波プローブ。
【請求項９】
前記記憶部は、更に、各振動子の位置に対応付けて、当該振動子の送受信を禁止させる禁止情報を記憶し、
前記素子制御情報は、各振動子が送受信を行うか否かを示す開口情報であり、
前記送受信部は、前記素子制御情報が送受信を行うことを示す開口情報である場合であっても、当該振動子の位置に対応付けて前記禁止情報が記憶されている場合には、前記振動子に送受信を行わせない
ことを特徴とする請求項１〜８のいずれか一つに記載の超音波プローブ。
【請求項１０】
前記記憶部と、前記送受信部と、前記制御部とを含んだ複数の集積回路が直列的に接続され、当該複数の集積回路の接続関係が超音波の開口移動方向と一致することを特徴とする請求項１〜９のいずれか一つに記載の超音波プローブ。
【請求項１１】
前記制御部は、シフトレジスタ或いはマトリクススイッチを利用することで、前記第１の振動子の位置に対応付けて記憶される素子制御情報を、前記第２の振動子の位置に対応付けて記憶される素子制御情報によって更新することを特徴とする請求項１〜１０のいずれか一つに記載の超音波プローブ。
【請求項１２】
被検体に対して超音波を送受信する超音波プローブと、
前記超音波プローブから受信した反射波から画像データを生成する画像生成部と、
前記画像データを表示する表示部と、
前記超音波プローブによる超音波の送受信を制御する制御部と
を備え、
前記超音波プローブは、
各振動子の位置に対応付けて、当該振動子における超音波の送受信に関する条件を示す素子制御情報を記憶する記憶部と、
前記記憶部が記憶する素子制御情報群に基づいて、振動子群において超音波を送受信する送受信部と、
超音波を送受信後に、第１の振動子の位置に対応付けて記憶される素子制御情報を、第２の振動子の位置に対応付けて記憶される素子制御情報によって更新する更新部と
を備えたことを特徴とする超音波診断装置。
【請求項１３】
前記素子制御情報を生成する素子制御情報生成部を更に備え、
前記更新部は、前記素子制御情報生成部によって生成された素子制御情報に基づいて、前記第１の振動子の位置に対応付けて記憶される素子制御情報を、前記第２の振動子の位置に対応付けて記憶される素子制御情報によって更新する
ことを特徴とする請求項１２に記載の超音波診断装置。
【発明の詳細な説明】
【技術分野】
【０００１】
本発明の実施形態は、超音波プローブ及び超音波診断装置に関する。
【背景技術】
【０００２】
従来、超音波プローブ内に、超音波プローブ内の各振動子（「素子」とも言う）を駆動させる送信回路や、複数の素子からの受信信号を適切な指向性を実現するように遅延を与えて加算する受信回路を実装する超音波診断装置が知られている。
【０００３】
また、超音波プローブ内に送信回路や受信回路を実装する超音波診断装置において、装置本体は、各素子を駆動させる前に、プローブケーブルを介して素子制御情報を超音波プローブに転送する。この素子制御情報には、送信波形を形成する情報、各素子の送信開始時間、各素子の受信遅延時間が含まれる。
【先行技術文献】
【特許文献】
【０００４】
【特許文献１】特開２０１１−１６１１６７号公報
【発明の概要】
【発明が解決しようとする課題】
【０００５】
本発明が解決しようとする課題は、素子制御情報の転送時間を短縮することできる超音波プローブ及び超音波診断装置を提供することである。
【課題を解決するための手段】
【０００６】
実施形態の超音波プローブは、記憶部と、送受信部と、制御部とを備える。記憶部は、各振動子の位置に対応付けて、当該振動子における超音波の送受信に関する条件を示す素子制御情報を記憶する。送受信部は、前記記憶部が記憶する素子制御情報群に基づいて、振動子群において超音波を送受信する。制御部は、超音波を送受信後に、第１の振動子の位置に対応付けて記憶される素子制御情報を、第２の振動子の位置に対応付けて記憶される素子制御情報によって更新する。
【図面の簡単な説明】
【０００７】
【図１】図１は、第１の実施形態に係る超音波診断装置の構成例を示すブロック図である。
【図２】図２は、第１の実施形態に係る超音波プローブの構成例を示すブロック図である。
【図３】図３は、第１の実施形態に係るＩＣの構成例を示すブロック図である。
【図４】図４は、送受信を制御するＩＣを超音波プローブ内に有する一般的な超音波診断装置における素子制御情報の転送処理を説明するための図である。
【図５】図５は、第１の実施形態に係る送信制御部の構成例を示すブロック図である。
【図６】図６は、第１の実施形態に係る超音波診断装置による素子制御情報の更新処理の動作を説明するための図である。
【図７】図７は、第１の実施形態に係る送信制御部による素子制御情報の更新処理を説明するための図である。
【図８】図８は、第１の実施形態に係る送信制御部による処理手順を示すフローチャートである。
【図９】図９は、第２の実施形態に係る送信制御部による素子制御情報の更新処理を説明するための図である。
【図１０】図１０は、第２の実施形態に係る送信制御部による処理手順を示すフローチャートである。
【図１１】図１１は、第３の実施形態に係る送信制御部の構成例を示すブロック図である。
【図１２】図１２は、第３の実施形態に係る送信制御部による処理手順を示すフローチャートである。
【発明を実施するための形態】
【０００８】
以下、図面を参照して、実施形態に係る超音波プローブ及び超音波診断装置を説明する。
【０００９】
（第１の実施形態）
まず、第１の実施形態に係る超音波診断装置の構成について説明する。図１は、第１の実施形態に係る超音波診断装置の構成例を示すブロック図である。図１に示すように、第１の実施形態に係る超音波診断装置は、超音波プローブ１と、装置本体１０と、モニタ２０と、入力部３０とを有する。また、超音波プローブ１と装置本体１０とが、ケーブル４０によって接続される。
【００１０】
超音波プローブ１は、超音波の送受信を制御するＩＣ（Integrated  Circuit）を内蔵した超音波プローブである。図２は、第１の実施形態に係る超音波プローブ１の構成例を示すブロック図である。図２に示すように、超音波プローブ１は、プローブ内電子回路２と、複数の振動子（「素子」とも言う）からなる振動子群３とを有する。また、超音波プローブ１は、振動子群３に設けられる整合層と、振動子群３から後方への超音波の伝播を防止するバッキング材等を有する。なお、超音波プローブ１は、装置本体１０と着脱自在に接続される。
【００１１】
なお、第１の実施形態では、図１に示す超音波プローブ１が、複数の圧電振動子を格子状に２次元で配置した２次元超音波プローブである場合を説明する。また、以下では、この超音波プローブ１が、一方向がフェーズドアレイによる偏向を行い、他方向が開口移動型として使用される場合の開口移動方向の制御について説明する。
【００１２】
振動子群３は、複数の振動子を有し、これら複数の振動子は、後述するプローブ内電子回路２から供給される駆動信号に基づき超音波を送信する。振動子群３が有する振動子は、例えば、圧電振動子である。
【００１３】
振動子群３から被検体Ｐに超音波が送信されると、送信された超音波は、被検体Ｐの体内組織における音響インピーダンスの不連続面で次々と反射され、反射波信号として振動子群３が有する複数の圧電振動子にて受信される。受信される反射波信号の振幅は、超音波が反射される不連続面における音響インピーダンスの差に依存する。なお、送信された超音波パルスが、移動している血流や心臓壁等の表面で反射された場合の反射波信号は、ドプラ効果により、移動体の超音波送信方向に対する速度成分に依存して、周波数偏移を受ける。振動子群３は、被検体Ｐから受信した反射波信号を電気信号に変換する。
【００１４】
プローブ内電子回路２は、図２に示すように、ＩＣ４ａと、ＩＣ４ｂと、ＩＣ４ｃとを有し、超音波の送受信を制御する。また、説明の便宜上、ＩＣ４ａ、ＩＣ４ｂ及びＩＣ４ｃを区別しない場合には、ＩＣ４と称する。各ＩＣ４は、振動子群３のうち複数の振動子に対応付けて設けられている。ここでは、説明の便宜上、振動子群３が有する振動子が２７素子である場合を説明する。例えば、振動子が配置される順序に従い、振動子の物理的な位置を１番目から２７番目の振動子とした場合、ＩＣ４ａは、１番目から９番目の素子に対応付けられ、ＩＣ４ｂは、１０番目から１８番目の素子に対応づけられ、ＩＣ４ｃは、１９番目から２７番目の素子に対応付けられる。また、この振動子の配置される順序は、開口移動方向の走査方向と一致しているものとする。なお、以下では、説明の便宜上、開口移動方向が、例えば、１番目の素子から２７番目の素子に向けた一方向である場合について説明する。
【００１５】
また、各ＩＣ４には、素子制御情報が装置本体１０から送られる。この素子制御情報には、送信波形に関する情報、各素子の送受信の有無を示す開口情報、及び各素子の送信遅延時間や受信遅延時間を規定する遅延情報が含まれる。ここで、装置本体１０からケーブル４０を介してＩＣ４に送られる素子制御情報は、シリアル通信で転送される。すなわち、ＩＣ４ａと、ＩＣ４ｂとＩＣ４ｃとが直列的に接続される。このため、ＩＣ４ａ、ＩＣ４ｂ及びＩＣ４ｃの接続は、振動子の物理的な配置順序と一致する。すなわち、ＩＣ４ａ、ＩＣ４ｂ及びＩＣ４ｃが接続される順序は、開口移動方向において振動子の配置される順序と一致する。
【００１６】
そして、各ＩＣ４は、対応する振動子に送信パルスを発生させて駆動し、対応する振動子から反射波信号を受信する。なお、プローブ内電子回路２が有するＩＣ４の数は、図２に図示した数に限定されるものではなく、任意に変更可能である。また、振動子群３が有する振動子の数は、２７素子に限定されるものではなく、任意に変更可能である。
【００１７】
図３は、第１の実施形態に係るＩＣ４の構成例を示すブロック図である。図３に示すように、ＩＣ４は、送信制御部５と、送信部６と、前置増幅部７と、受信制御部８と、受信部９とを有する。
【００１８】
送信制御部５は、装置本体１０から素子制御情報が送られると、各素子の送信の有無や各素子の送信遅延時間を設定する。また、送信制御部５は、レートパルスを受け取り、受け取ったレートパルスを基準時刻として各素子に設定された送信遅延時間に応じた送信波形を送信部６に発生させる。
【００１９】
送信部６は、高周波の電圧パルスを発生し、振動子群３を駆動する。すなわち、送信部６は、振動子群３の各振動子を機械的に振動させる。例えば、送信部６は、レートパルスに基づくタイミングで、超音波プローブ１に駆動信号（駆動パルス）を印加する。ここで、送信部６は、各レートパルスに対し与える遅延時間を変化させることで、圧電振動子面から送信される超音波の送信方向を任意に調整する。ここで言う「遅延時間」とは、超音波プローブ１から発生される超音波をビーム状に集束し、かつ送信指向性を決定するために必要な圧電振動子ごとの遅延時間を示す。なお、送信部６は、任意の波形を発生できるものであっても良い。こうして発生された超音波は、被検体Ｐ内の音響インピーダンスの境界で反射して、振動子群３に戻ってきて、振動子を機械的に振動する。これにより各振動子に電気信号が個別に発生する。
【００２０】
前置増幅部７は、電気信号を増幅する。受信制御部８は、装置本体１０から素子制御情報が送られると、各素子の受信の有無や各素子の受信遅延時間を設定する。受信部９は、前置増幅部７で増幅された電気信号に素子ごとに設定された受信遅延時間を遅延加算し、素子数より少ない信号数に統合した後、装置本体１０に送る。
【００２１】
図１に戻る。モニタ２０は、超音波診断装置の操作者が入力部３０を用いて各種設定要求を入力するためのＧＵＩ（Graphical  User  Interface）を表示したり、装置本体１０において生成された超音波画像データ等を表示したりする表示装置である。
【００２２】
入力部３０は、超音波診断装置の操作者から各種要求の入力を受け付け、受け付けた各種要求を装置本体１０に転送する。入力部３０は、マウス、キーボード、ボタン、パネルスイッチ、タッチコマンドスクリーン、フットスイッチ、トラックボール等である。
【００２３】
装置本体１０は、超音波プローブ１が受信した反射波信号に基づいて超音波画像データを生成する装置である。図１に示すように、装置本体１０は、送受信部１１と、Ｂモード処理部１２と、ドプラ処理部１３と、画像生成部１４と、画像メモリ１５と、内部記憶部１６と、制御部１７とを有する。
【００２４】
送受信部１１は、後述する制御部１７の指示に基づいて、超音波プローブ１が行う超音波送受信を制御する。送受信部１１は、素子制御情報生成部１１ａを有する。素子制御情報生成部１１ａは、超音波を送受信するごとに、素子制御情報を生成してプローブ内電子回路２に送信する。この素子制御情報には、送信波形に関する情報、各素子の送受信の有無を示す開口情報、及び各素子の送信遅延時間や受信遅延時間を規定する遅延情報が含まれる。
【００２５】
また、送受信部１１は、図示しない、クロック発生器、分周器等を有し、プローブ内電子回路２に駆動信号を供給する。クロック発生器は、クロックパルスを発生させる。分周器は、クロック発生器で発生されたクロックパルスを例えば５ＫＨｚ程度のレートパルスに落とす。分周器は、ケーブル４０を通じて、このレートパルスをプローブ内電子回路２に送信する。
【００２６】
また、送受信部１１は、加算器等を有し、超音波プローブ１が受信した反射波信号に対して各種処理を行って反射波データを生成する。加算器は、受信部９によって処理された反射波信号の加算処理を行って反射波データを生成する。加算器の加算処理により、反射波信号の受信指向性に応じた方向からの反射成分が強調され、受信指向性と送信指向性とにより超音波送受信の総合的なビームが形成される。
【００２７】
送受信部１１は、被検体Ｐを２次元走査する場合、超音波プローブ１から２次元の超音波ビームを送信させる。そして、送受信部１１は、超音波プローブ１が受信した２次元の反射波信号から２次元の反射波データを生成する。また、送受信部１１は、被検体Ｐを３次元走査する場合、超音波プローブ１から３次元の超音波ビームを送信させる。そして、送受信部１１は、超音波プローブ１が受信した３次元の反射波信号から３次元の反射波データを生成する。
【００２８】
なお、送受信部１１からの出力信号の形態は、ＲＦ（Radio  Frequency）信号と呼ばれる位相情報が含まれる信号である場合や、包絡線検波処理後の振幅情報である場合等、種々の形態が選択可能である。
【００２９】
Ｂモード処理部１２及びドプラ処理部１３は、送受信部１１が反射波信号から生成した反射波データに対して、各種の信号処理を行う信号処理部である。Ｂモード処理部１２は、送受信部１１から反射波データを受信し、対数増幅、包絡線検波処理等を行って、信号強度が輝度の明るさで表現されるデータ（Ｂモードデータ）を生成する。また、ドプラ処理部１３は、送受信部１１から受信した反射波データから速度情報を周波数解析し、ドプラ効果による速度、分散、パワー等の移動体情報を多点について抽出したデータ（ドプラデータ）を生成する。ここで、移動体とは、例えば、血流や、心壁等の組織、造影剤である。
【００３０】
画像生成部１４は、Ｂモード処理部１２及びドプラ処理部１３が生成したデータから超音波画像データを生成する。すなわち、画像生成部１４は、Ｂモード処理部１２が生成した２次元のＢモードデータから反射波の強度を輝度で表した２次元Ｂモード画像データを生成する。また、画像生成部１４は、ドプラ処理部１３が生成した２次元のドプラデータから移動体情報を表す２次元ドプラ画像データを生成する。２次元ドプラ画像データは、速度画像データ、分散画像データ、パワー画像データ、又は、これらを組み合わせた画像データである。
【００３１】
ここで、画像生成部１４は、一般的には、超音波走査の走査線信号列を、テレビ等に代表されるビデオフォーマットの走査線信号列に変換（スキャンコンバート）し、表示用の超音波画像データを生成する。具体的には、画像生成部１４は、超音波プローブ１による超音波の走査形態に応じて座標変換を行うことで、表示用の超音波画像データを生成する。また、画像生成部１４は、スキャンコンバート以外に種々の画像処理として、例えば、スキャンコンバート後の複数の画像フレームを用いて、輝度の平均値画像を再生成する画像処理（平滑化処理）や、画像内で微分フィルタを用いる画像処理（エッジ強調処理）等を行う。また、画像生成部１４は、超音波画像データに、付帯情報（種々のパラメータの文字情報、目盛り、ボディーマーク等）を合成する。
【００３２】
すなわち、Ｂモードデータ及びドプラデータは、スキャンコンバート処理前の超音波画像データであり、画像生成部１４が生成するデータは、スキャンコンバート処理後の表示用の超音波画像データである。なお、Ｂモードデータ及びドプラデータは、生データ（Raw  Data）とも呼ばれる。
【００３３】
画像メモリ１５は、画像生成部１４が生成した表示用の画像データを記憶するメモリである。また、画像メモリ１５は、Ｂモード処理部１２やドプラ処理部１３が生成したデータを記憶することも可能である。画像メモリ１５が記憶するＢモードデータやドプラデータは、例えば、診断の後に操作者が呼び出すことが可能となっており、画像生成部１４を経由して表示用の超音波画像データとなる。
【００３４】
内部記憶部１６は、超音波送受信、画像処理及び表示処理を行うための制御プログラムや、診断情報（例えば、患者ＩＤ、医師の所見等）や、診断プロトコルや各種ボディーマーク等の各種データを記憶する。また、内部記憶部１６は、必要に応じて、画像メモリ１５が記憶する画像データの保管等にも使用される。また、内部記憶部１６が記憶するデータは、外部装置へ転送することができる。
【００３５】
制御部１７は、超音波診断装置の処理全体を制御する。具体的には、制御部１７は、入力部３０を介して操作者から入力された各種設定要求や、内部記憶部１６から読込んだ各種制御プログラム及び各種データに基づき、送受信部１１、Ｂモード処理部１２、ドプラ処理部１３及び画像生成部１４の処理を制御する。また、制御部１７は、画像メモリ１５や内部記憶部１６が記憶する表示用の画像データをモニタ２０にて表示するように制御する。また、制御部１７は、画像生成部１４が生成した表示用の画像データを内部記憶部１６等に格納するように制御する。
【００３６】
このように、送受信を制御するＩＣ４を超音波プローブ１内に有する超音波診断装置では、走査を行うごとに、素子制御情報が、例えば、装置本体１０の素子制御情報生成部１１ａから超音波プローブ１に転送される。すなわち、開口移動方向のある走査線において、超音波を送受信するごとに、装置本体１０の素子制御情報生成部１１ａから超音波プローブ１に転送される。なお、第１の実施形態では、単一の撮像モードで超音波を送受信する場合について説明する。
【００３７】
ここで、図４を用いて、送受信を制御するＩＣを超音波プローブ内に有する一般的な超音波診断装置における素子制御情報の転送処理を説明する。図４は、送受信を制御するＩＣを超音波プローブ内に有する一般的な超音波診断装置における素子制御情報の転送処理を説明するための図である。図４では、開口移動方向に素子２７列の素子を持つ２次元アレイについて説明する。また図４に示す例では、プローブ内電子回路に３つのＩＣを配置、それぞれのＩＣが９列分の素子の送受信の制御を行う場合を示す。
【００３８】
送受信を制御するＩＣを超音波プローブ内に有する一般的な超音波診断装置における素子制御情報の転送では、走査を行うごとに、全ての素子分に相当する素子制御情報を超音波プローブに転送する。すなわち、超音波プローブは、装置本体がケーブルを通じて、２７列素子分の素子制御情報を受け取る。そして、一般的な超音波プローブは、最初の９列素子分の素子制御情報をＩＣ９０１に保存し、残りのデータを後段のＩＣ９０２に転送する。
【００３９】
ＩＣ９０２では、転送された素子制御情報のうち最初の９列分を保存し、最後の９列素子分はさらに後段のＩＣ９０３に転送する。これによりＩＣ９０３は、最後の９列素子分の素子制御情報を保存する。このように、送受信を制御するＩＣを超音波プローブ内に有する一般的な超音波診断装置では、走査を行うごとに、ケーブルを通じて、全素子数分の素子制御情報を転送する。このため、素子数が多くなると転送時間が長くなる。また、素子制御情報を受信する回路や転送する回路の消費電力も素子数が多くなるに伴い増大してしまう。
【００４０】
このようなことから、第１の実施形態に係る超音波診断装置では、開口移動方向の素子制御情報を再利用することで、転送する素子制御情報の容量を削減する。なお、以下では、超音波診断装置において、素子制御情報のうち送信遅延情報が再利用される場合について説明する。かかる送信遅延情報を再利用する処理は、素子制御情報生成部１１ａと送信制御部５とによって制御される。
【００４１】
素子制御情報生成部１１ａは、制御情報を生成してプローブ内電子回路２に送信する。ここで、第１の実施形態に係る素子制御情報生成部１１ａは、電源投入後や送受信条件変更後の１回目の超音波の送信時には、全ての素子分に相当する素子制御情報を転送することを示す制御情報を生成して、プローブ内電子回路２に送信する。また、第１の実施形態に係る素子制御情報生成部１１ａは、電源投入後や送受信条件変更後の１回目の超音波の送信時には、全ての素子分に相当する素子制御情報を生成してプローブ内電子回路２に送信する。
【００４２】
また、第１の実施形態に係る素子制御情報生成部１１ａは、２回目以降の超音波の送信時には、一部の素子分に相当する素子制御情報のみを転送し、開口移動方向の素子制御情報を再利用することを示す制御情報を送信する。ここで、素子制御情報生成部１１ａは、開口移動方向における走査線移動量を示す情報を含んだ制御情報を生成してプローブ内電子回路２に送信する。また、第１の実施形態に係る素子制御情報生成部１１ａは、２回目以降の超音波の送信時には、一部の素子分に相当する素子制御情報を生成してプローブ内電子回路２に送信する。なお、この一部の素子分に相当する素子制御情報のことを、差分に相当する素子制御情報とも言う。
【００４３】
そして、第１の実施形態に係る送信制御部５は、電源投入後や送受信条件変更後の１回目の超音波の送信時には、全ての素子分に相当する素子制御情報を受信する。そして、送信制御部５は、走査線移動時には、開口移動方向の素子制御情報を再利用する。例えば、送信制御部５は、２回目以降の超音波の送信時には、差分に相当する素子制御情報を受信し、開口移動方向の素子制御情報を再利用して素子制御情報を更新する。図５は、第１の実施形態に係る送信制御部５の構成例を示すブロック図である。
【００４４】
図５に示すように、送信制御部５は、バッファ５ａと、素子制御バッファ５ｂと、マトリクススイッチ５ｃとを有する。バッファ５ａは、記憶領域５ａ１から記憶領域５ａ９を有するリングバッファであり、素子制御情報生成部１１ａから送信された素子制御情報を保持する。リングバッファは、書き込みポインタで示された記憶領域に受け取った素子制御情報を書き込み、書き込み完了後に、ポインタを隣に移動させる。例えば、送信制御部５は、記憶領域５ａ１に素子制御情報を書き込んだ後、ポインタを記憶領域５ａ２に移動させる。なお、送信制御部５は、記憶領域５ａ９に素子制御情報を書き込んだ後は、ポインタを記憶領域５ａ１に移動させる。
【００４５】
素子制御バッファ５ｂは、記憶領域５ｂ１から記憶領域５ｂ９を有する。素子制御バッファ５ｂの各記憶領域には、マトリクススイッチ５ｃによって、バッファ５ａが保持する素子制御情報が格納される。この素子制御バッファ５ｂの各記憶領域は、開口移動方向において、振動子群３のいずれか一つの振動子に対応付けられている。この結果、送信部６は、素子制御バッファ５ｂの各記憶領域に格納される素子制御情報を参照して、素子を駆動させる。
【００４６】
マトリクススイッチ５ｃは、バッファ５ａと、素子制御バッファ５ｂとに接続され、バッファ５ａから入力された素子制御情報を素子制御バッファ５ｂに出力する。ここで、マトリクススイッチ５ｃの入力側の複数の信号線と、出力側の複数の信号線とが碁盤上に配置され、信号線の交わる位置に開閉スイッチが配置される。このため送信制御部５は、この開閉スイッチを切り替えることで、バッファ５ａに格納される素子制御情報を、素子制御バッファ５ｂの任意の位置に格納させることが可能となる。すなわち、送信制御部５は、素子制御バッファ５ｂにおいて保持された、第１の振動子の位置に対応付けて記憶される素子制御情報を、第２の振動子の位置に対応付けて記憶される素子制御情報によって更新する。
【００４７】
図６は、第１の実施形態に係る超音波診断装置による素子制御情報の更新処理の動作を説明するための図である。素子制御情報生成部１１ａは、電源投入後や送受信条件変更後の１回目の送信では、全ての素子分に相当する素子制御情報を超音波プローブ１に転送する。この時、素子制御情報生成部１１ａは、素子制御情報の前に、素子制御情報をどのような使い方をするかを示す制御情報を付与する。言い換えると、制御情報は、素子制御情報群が更新される規則を規定する。例えば、素子制御情報生成部１１ａは、電源投入後や送受信条件変更後の１回目の送信では、全ての素子分に相当する素子制御情報が転送されることを示す制御情報を付与する。この結果、送信制御部５は、ケーブル４０を通じて、全ての素子分に相当する素子制御情報を受信する。
【００４８】
続いて、１回目の超音波の送受信後に、２回目の送信として、例えば、送信遅延情報を１素子分だけ開口移動方向にずらして超音波を送信する場合について説明する。２回目の送信の際は、１素子分だけ開口移動方向にずらして超音波を送信するので、端の列の素子以外の素子では、隣の列の素子制御情報を次の素子列の素子制御情報として使用可能である。このため、素子制御情報生成部１１ａは、ケーブル４０を介して、端部の素子には差分に相当する新たな素子制御情報を転送すること及び端部の素子以外の他の素子には事前に受け取った素子制御情報をシフトして再利用することを示す制御情報を付与する。すなわち、素子制御情報生成部１１ａは、素子制御情報の一部を再利用することを示す制御情報を付与して、差分に相当する素子制御情報を転送する。
【００４９】
そして、送信制御部５は、走査線を開口方向に移動時には、全ての素子分に相当する素子制御情報を受信するのではなく、端部の列の素子制御情報だけを受信する。そして、送信制御部５は、ＩＣ内で素子制御情報を受け渡して、前回の送信で使用した素子制御情報を用いて、素子制御情報を更新する。
【００５０】
図７を用いて、素子制御情報の更新処理を説明する。図７は、第１の実施形態に係る送信制御部５による素子制御情報の更新処理を説明するための図である。図７では、素子制御バッファ５ｂの各記憶領域に格納される素子制御情報と、各素子制御情報が示す遅延時間の分布７ａとの対応関係を示す。なお、図７に示す例では、２７素子のうち、最大で２１素子を用いて超音波を送信する場合について説明する。
【００５１】
図７の上段は、電源投入後や送受信条件変更後の素子制御バッファ５ｂに格納される素子制御情報を示す。図７に示すように、ＩＣ４ａが有する素子制御バッファ５ｂの記憶領域５ｂ１から記憶領域５ｂ９には、素子制御情報ａ１から素子制御情報ａ９が格納されている。また、ＩＣ４ｂが有する素子制御バッファ５ｂの記憶領域５ｂ１から記憶領域５ｂ９には、素子制御情報ｂ１から素子制御情報ｂ９が格納されている。また、ＩＣ４ｃが有する素子制御バッファ５ｂの記憶領域５ｂ１から記憶領域５ｂ９には、素子制御情報ｃ１から素子制御情報ｃ９が格納されている。
【００５２】
ここで、図７の上段に示す例では、ＩＣ４ａが有する素子制御バッファ５ｂの記憶領域５ｂ１から記憶領域５ｂ９と、ＩＣ４ｂが有する素子制御バッファ５ｂの記憶領域５ｂ１から記憶領域５ｂ９とに対応する素子は駆動する。このため、素子制御情報ａ１から素子制御情報ａ９、素子制御情報ｂ１から素子制御情報ｂ９は、実際の遅延時間の分布を示す情報である。一方で、ＩＣ４ｃが有する素子制御バッファ５ｂの記憶領域５ｂ１から記憶領域５ｂ９に対応する素子は駆動しない。このため、素子制御情報ｃ１から素子制御情報ｃ９は、実際には遅延時間を示すものではなく、例えば、ダミーの遅延時間を示す情報である。
【００５３】
図７の下段は、送信遅延情報を１素子分だけ開口移動方向にずらして超音波を送信させる場合に、素子制御バッファ５ｂに格納される素子制御情報を示す。この場合、各ＩＣ４につき１素子分に相当する素子制御情報を受け取る。すなわち、送信制御部５は、素子制御情報の一部を再利用することを示す１つの制御情報と、３つの素子制御情報とを受け取る。
【００５４】
図７の下段に示す例では、ＩＣ４ａの送信制御部５は、素子制御情報ａ１０、素子制御情報ｂ１０及び素子制御情報ｃ１０を受け取り、ＩＣ４ａのバッファ５ａにおいて、書き込みポインタで示された場所に素子制御情報ａ１０を格納する。例えば、ＩＣ４ａの送信制御部５は、ＩＣ４ａのバッファ５ａにおいて、素子制御情報ａ１が格納されていた場所に、素子制御情報ａ１０を格納する。また、ＩＣ４ａの送信制御部５は、素子制御情報ｂ１０及び素子制御情報ｃ１０をＩＣ４ｂの送信制御部５に送る。
【００５５】
続いて、ＩＣ４ａにおいて、送信制御部５は、マトリクススイッチ５ｃの開閉スイッチを切り替えることで、ＩＣ４ａの素子制御バッファ５ｂの素子制御情報を１素子分ずつ開口方向に移動させる。すなわち、ＩＣ４ａの送信制御部５は、ＩＣ４ａの素子制御バッファ５ｂにおいて、素子制御情報ａ１が格納されていた場所に素子制御情報ａ２を格納し、素子制御情報ａ２が格納されていた場所に素子制御情報ａ３を格納する。同様にして、ＩＣ４ａの送信制御部５は、ＩＣ４ａの素子制御バッファ５ｂにおいて、素子制御情報ａ８が格納されていた場所に素子制御情報ａ９を格納し、素子制御情報ａ９が格納されていた場所に素子制御情報ａ１０を格納する。
【００５６】
また、ＩＣ４ｂの送信制御部５は、素子制御情報ｂ１０及び素子制御情報ｃ１０を受け取り、ＩＣ４ｂのバッファ５ａにおいて、書き込みポインタで示された場所に素子制御情報ｂ１０を格納する。例えば、ＩＣ４ｂの送信制御部５は、ＩＣ４ｂのバッファ５ａにおいて、素子制御情報ｂ１が格納されていた場所に、素子制御情報ｂ１０を格納する。また、ＩＣ４ｂの送信制御部５は、素子制御情報ｃ１０をＩＣ４ｃの送信制御部５に送る。
【００５７】
続いて、ＩＣ４ｂにおいて、送信制御部５は、マトリクススイッチ５ｃの開閉スイッチを切り替えることで、ＩＣ４ｂの素子制御バッファ５ｂの素子制御情報を１素子分ずつ開口方向に移動させる。すなわち、ＩＣ４ｂの送信制御部５は、ＩＣ４ｂの素子制御バッファ５ｂにおいて、素子制御情報ｂ１が格納されていた場所に素子制御情報ｂ２を格納し、素子制御情報ｂ２が格納されていた場所に素子制御情報ｂ３を格納する。同様にして、ＩＣ４ｂの送信制御部５は、ＩＣ４ｂの素子制御バッファ５ｂにおいて、素子制御情報ｂ８が格納されていた場所に素子制御情報ｂ９を格納し、素子制御情報ｂ９が格納されていた場所に素子制御情報ｂ１０を格納する。
【００５８】
また、ＩＣ４ｃの送信制御部５は、素子制御情報ｃ１０を受け取り、ＩＣ４ｃのバッファ５ａにおいて、書き込みポインタで示された場所に素子制御情報ｃ１０を格納する。例えば、ＩＣ４ｃの送信制御部５は、ＩＣ４ｃのバッファ５ａにおいて、素子制御情報ｃ１が格納されていた場所に、素子制御情報ｃ１０を格納する。
【００５９】
続いて、ＩＣ４ｃにおいて、送信制御部５は、マトリクススイッチ５ｃの開閉スイッチを切り替えることで、ＩＣ４ｃの素子制御バッファ５ｂの素子制御情報を１素子分ずつ開口方向に移動させる。すなわち、ＩＣ４ｃの送信制御部５は、ＩＣ４ｃの素子制御バッファ５ｂにおいて、素子制御情報ｃ１が格納されていた場所に素子制御情報ｃ２を格納し、素子制御情報ｃ２が格納されていた場所に素子制御情報ｃ３を格納する。同様にして、ＩＣ４ｃの送信制御部５は、ＩＣ４ｃの素子制御バッファ５ｂにおいて、素子制御情報ｃ８が格納されていた場所に素子制御情報ｃ９を格納し、素子制御情報ｃ９が格納されていた場所に素子制御情報ｃ１０を格納する。
【００６０】
このように、送信遅延情報を１素子分だけ開口移動方向にずらして超音波を送信させる場合に、送信制御部５は、素子制御バッファ５ｂに格納される素子制御情報をＩＣ４内で受け渡す。これにより、素子制御情報生成部１１ａは、２７列の素子を３つのＩＣ４で駆動させる場合、１つの制御情報と３つの素子制御情報との４列相当の情報だけを２回目の送信時に転送すればよい。このように、素子制御情報生成部１１ａは、画像フレームの最初のみ多くの素子制御情報を転送するが、２回目以降は最小限の素子制御情報を送ればよい。図７に示す例では、素子制御情報生成部１１ａは、２回目以降の素子制御情報の転送において、１回目に転送した４／２７に転送時間を短縮できる。
【００６１】
図８は、第１の実施形態に係る送信制御部５による処理手順を示すフローチャートである。図８に示すように、送信制御部５は、制御情報を受信する（ステップＳ１０１）。そして、送信制御部５は、制御情報を解析する（ステップＳ１０２）。ここで送信制御部５は、制御情報として、全素子分に相当する素子制御情報が転送されることを示す制御情報や差分に相当する素子制御情報が転送されることを示す制御情報を受信する。ここで、制御情報が、差分に相当する素子制御情報が転送されることを示す制御情報である場合、例えば、端部の素子が新たな素子制御情報で更新され、他の素子は事前に受け取った素子制御情報をシフトして再利用することを示す。なお、差分に相当する素子制御情報が転送されることを示す制御情報である場合、制御情報には、開口移動方向における走査線の移動量を示す情報が含まれる。
【００６２】
続いて、送信制御部５は、受信する素子制御情報が差分に相当する素子制御情報であるか否かを判定する（ステップＳ１０３）。ここで、送信制御部５は、受信する素子制御情報が差分に相当する素子制御情報であると判定した場合（ステップＳ１０３、Ｙｅｓ）、差分に相当する送信遅延情報を受信する（ステップＳ１０４）。一方、送信制御部５は、受信する素子制御情報が差分に相当する素子制御情報ではないと判定した場合（ステップＳ１０３、Ｎｏ）、全素子分に相当する送信遅延情報を受信する（ステップＳ１０５）。
【００６３】
送信制御部５は、素子制御バッファ５ｃの送信遅延情報更新する（ステップＳ１０６）。続いて、送信制御部５は、レートパルスを受信し（ステップＳ１０７）、振動子を駆動させる（ステップＳ１０８）。続いて、送信制御部５は、走査終了するか否かを判定する（ステップＳ１０９）。ここで、送信制御部５は、走査終了しないと判定した場合（ステップＳ１０９、Ｎｏ）、ステップＳ１０１に移行し、制御情報を受信する。一方、送信制御部５は、走査終了すると判定した場合（ステップＳ１０９、Ｙｅｓ）、処理を終了する。
【００６４】
上述したように、第１の実施形態によれば、開口移動方向の素子制御情報を再利用することにより、素子制御情報の転送時間を短縮することができる。これにより、第１の実施形態では、例えば、超音波プローブ１内のメモリ回路規模を増大させずに、素子数の多い超音波プローブ１の素子制御情報を短時間に転送することが可能となる。
【００６５】
また、第１の実施形態によれば、制御用のプローブケーブル本数やプローブコネクタのピン数を増加させる事無く、短い時間で必要な送受信の制御データを更新することが可能となる。
【００６６】
また、第１の実施形態によれば、転送する素子制御情報の転送容量を削減することにより、例えば、素子数が増大した場合でも、消費電力を低減することが可能となる。
【００６７】
（第２の実施形態）
第１の実施形態では、開口移動方向に走査線を移動させる場合に、差分に相当する素子制御情報を装置本体１０から受信し、受信した素子制御情報と、既に素子制御バッファ５ｂに格納された素子制御情報とを用いて、素子制御情報を更新する場合について説明した。また、第１の実施形態では、開口させない素子に対応する素子制御バッファ５ｂにも、例えばダミーの素子制御情報を格納させるものとして説明した。
【００６８】
ところで、開口させない素子に対応する素子制御バッファ５ｂに格納される素子制御情報は、ダミーの素子制御情報ではなくてもよいものである。例えば、開口させない素子に対応する素子制御バッファ５ｂには、走査線移動時に装置本体１０から受信する、差分に相当する素子制御情報を格納させてもよい。このようなことから、第２の実施形態では、１回目の送信時には開口させない素子に対応する素子制御バッファ５ｂに、走査線移動時に装置本体１０から受信する、差分に相当する素子制御情報を事前に保持させる場合について説明する。また、第２の実施形態では、第１の実施形態と同様に、単一の撮像モードで超音波を送受信する場合について説明する。
【００６９】
第２の実施形態に係る超音波診断装置の構成例は、送信制御部５及び素子制御情報生成部１１ａの一部の機能が異なる点を除いて、図１に示す第１の実施形態に係る超音波診断装置の構成例と同様である。このため、送信制御部５及び素子制御情報生成部１１ａ以外の第２の実施形態に係る超音波診断装置の構成例についての説明は省略する。
【００７０】
第２の実施形態に係る素子制御情報生成部１１ａは、制御情報を生成してプローブ内電子回路２に送信する。ここで、第２の実施形態に係る素子制御情報生成部１１ａは、電源投入後や送受信条件変更後の１回目の超音波の送信時には、全ての素子分に相当する素子制御情報を転送することを示す制御情報を生成して、プローブ内電子回路２に送信する。また、第２の実施形態に係る素子制御情報生成部１１ａは、電源投入後や送受信条件変更後の１回目の超音波の送信時には、１回目の送信時には開口させない素子に対応する素子制御バッファ５ｂに、走査線移動時に装置本体１０から受信する、差分に相当する素子制御情報を事前に保持させるように、素子制御情報を生成してプローブ内電子回路２に送信する。この結果、第２の実施形態に係る送信制御部５は、ケーブル４０を通じて、全ての素子分に相当する素子制御情報を受信する。
【００７１】
また、第２の実施形態に係る素子制御情報生成部１１ａは、２回目以降の超音波の送信時には、走査線移動量を示す制御情報を生成してプローブ内電子回路２に送信する。例えば、第２の実施形態に係る素子制御情報生成部１１ａは、素子制御情報を１素子分だけ開口移動方向にずらすことを指示する制御情報を生成してプローブ内電子回路２に送信する。なお、第２の実施形態に係る素子制御情報生成部１１ａは、２回目以降の超音波の送信時には、素子制御情報を生成・転送しない。
【００７２】
そして、第２の実施形態に係る送信制御部５は、走査線移動時には、ケーブル４０を介して、素子制御情報生成部１１ａから制御情報のみを受け取る。そして、第２の実施形態に係る送信制御部５は、素子制御情報をＩＣ間で転送する。なお、第２の実施形態に係るバッファ５ａはＦＩＦＯ（First  In  First  Out）である。
【００７３】
図９を用いて、第２の実施形態に係る素子制御情報の更新処理を説明する。図９は、第２の実施形態に係る送信制御部５による素子制御情報の更新処理を説明するための図である。図９では、素子制御バッファ５ｂに格納される素子制御情報と、素子制御情報が示す遅延時間の分布９ａとの対応関係を示す。なお、図９に示す例では、２７素子のうち、最大で２１素子を用いて超音波を送信する場合について説明する。
【００７４】
図９の上段は、電源投入後や送受信条件変更後の素子制御バッファ５ｂに格納される素子制御情報を示す。図９に示すように、ＩＣ４ａの素子制御バッファ５ｂには、素子制御情報ａ１からａ９が格納されており、ＩＣ４ｂの素子制御バッファ５ｂには、素子制御情報ｂ１からｂ９が格納されており、ＩＣ４ｃの素子制御バッファ５ｂには、素子制御情報ｃ１からｃ９が格納されている。
【００７５】
ここで、図９の上段に示す例では、ＩＣ４ａが有する素子制御バッファ５ｂの記憶領域５ｂ１から記憶領域５ｂ９と、ＩＣ４ｂが有する素子制御バッファ５ｂの記憶領域５ｂ１から記憶領域５ｂ９に対応する素子は駆動する。このため、素子制御情報ａ１から素子制御情報ａ９、素子制御情報ｂ１から素子制御情報ｂ９は、実際の遅延時間の分布を示す情報である。一方で、ＩＣ４ｃが有する素子制御バッファ５ｂの記憶領域５ｂ１から記憶領域５ｂ９に対応する素子は駆動しない。すなわち、図９の上段に示す例では、２７素子列のうち、電源投入後や送受信条件変更後では１８素子列しか駆動させない。
【００７６】
また、図９中の９ｂは、２回目以降の超音波の送信時に用いられる遅延時間の分布を示す。また、この遅延時間の分布９ｂに相当する素子制御情報をそれぞれ素子制御情報ａ１０、ａ１１及びａ１２と仮定する。この場合、素子制御情報生成部１１ａは、素子制御情報ｃ１として、ダミーの素子制御情報ではなく、素子制御情報ａ１０に相当する情報を生成し、プローブ内電子回路２に送信する。また、素子制御情報生成部１１ａは、素子制御情報ｃ２として、ダミーの素子制御情報ではなく、素子制御情報ａ１１に相当する情報を生成し、プローブ内電子回路２に送信する。同様に、素子制御情報生成部１１ａは、素子制御情報ｃ３として、ダミーの素子制御情報ではなく、素子制御情報ａ１２に相当する情報を生成し、プローブ内電子回路２に送信する。なお、素子制御情報生成部１１ａは、素子制御情報ｃ４から素子制御情報ｃ９には、実際には遅延時間を示すものではなく、例えば、ダミーの遅延時間を示す情報を生成し、プローブ内電子回路２に送信する。
【００７７】
図９の下段は、送信遅延情報を１素子分だけ開口移動方向にずらして超音波を送信させる場合に、制御バッファ５ｂに格納される素子制御情報を示す。この場合、素子制御情報生成部１１ａは、差分が１素子相当であることを示す制御情報をプローブ内電子回路２に送信する。そして、各ＩＣ４の送信制御部５は、この制御情報１つを受け取る。各ＩＣ４の送信制御部５は、制御情報を解析し、ＩＣ４間で素子制御情報を受け渡すと判定する。
【００７８】
図９の下段に示す例では、ＩＣ４ａの送信制御部５は、素子制御情報ｃ１をＩＣ４ｃから受け取るとともに、素子制御情報ａ１をＩＣ４ｂに送る。そして、送信制御部５は、ＩＣ４ａのバッファ５ａに素子制御情報ｃ１を格納する。
【００７９】
続いて、ＩＣ４ａにおいて、送信制御部５は、マトリクススイッチ５ｃの開閉スイッチを切り替えることで、素子制御バッファ５ｂの素子制御情報を１素子分ずつ開口方向に移動させる。すなわち、送信制御部５は、素子制御バッファ５ｂにおいて、素子制御情報ａ１が格納されていた場所に素子制御情報ａ２を格納し、素子制御情報ａ２が格納されていた場所に素子制御情報ａ３を格納する。同様にして、送信制御部５は、素子制御バッファ５ｂにおいて、素子制御情報ａ８が格納されていた場所に素子制御情報ａ９を格納し、素子制御情報ａ９が格納されていた場所に素子制御情報ｃ１を格納する。
【００８０】
また、ＩＣ４ｂの送信制御部５は、素子制御情報ａ１を受け取るとともに、素子制御情報ｂ１をＩＣ４ｃに送る。そして、送信制御部５は、ＩＣ４ｂのバッファ５ａに素子制御情報ａ１を格納する。
【００８１】
続いて、ＩＣ４ｂにおいて、送信制御部５は、マトリクススイッチ５ｃの開閉スイッチを切り替えることで、素子制御バッファ５ｂの素子制御情報を１素子分ずつ開口方向に移動させる。すなわち、送信制御部５は、素子制御バッファ５ｂにおいて、素子制御情報ｂ１が格納されていた場所に素子制御情報ｂ２を格納し、素子制御情報ｂ２が格納されていた場所に素子制御情報ｂ３を格納する。同様にして、送信制御部５は、素子制御バッファ５ｂにおいて、素子制御情報ｂ８が格納されていた場所に素子制御情報ｂ９を格納し、素子制御情報ｂ９が格納されていた場所に素子制御情報ａ１を格納する。
【００８２】
また、ＩＣ４ｃの送信制御部５は、素子制御情報ｂ１を受け取るとともに、素子制御情報ｃ１をＩＣ４ａに送る。そして、送信制御部５は、ＩＣ４ｃのバッファ５ａに素子制御情報ｂ１を格納する。
【００８３】
続いて、ＩＣ４ｃにおいて、送信制御部５は、マトリクススイッチ５ｃの開閉スイッチを切り替えることで、素子制御バッファ５ｂの素子制御情報を１素子分ずつ開口方向に移動させる。すなわち、送信制御部５は、素子制御バッファ５ｂにおいて、素子制御情報ｃ１が格納されていた場所に素子制御情報ｃ２を格納し、素子制御情報ｃ２が格納されていた場所に素子制御情報ｃ３を格納する。同様にして、送信制御部５は、素子制御バッファ５ｂにおいて、素子制御情報ｃ８が格納されていた場所に素子制御情報ｃ９を格納し、素子制御情報ｃ９が格納されていた場所に素子制御情報ｂ１を格納する。
【００８４】
図１０は、第２の実施形態に係る送信制御部５による処理手順を示すフローチャートである。図１０に示すように、送信制御部５は、制御情報を受信する（ステップＳ２０１）。そして、送信制御部５は、制御情報を解析する（ステップＳ２０２）。ここで送信制御部５は、制御情報として、送信遅延情報が転送されることを示す制御情報や送信遅延情報が転送されないことを示す制御情報を受信する。ここで、送信遅延情報が転送されることを示す制御情報である場合、制御情報は、全素子分に相当する素子制御情報が転送されることを示す。一方、送信遅延情報が転送されないことを示す制御情報である場合、制御情報は、事前に受け取った素子制御情報をシフトして再利用することを示す。なお、送信遅延情報が転送されないことを示す制御情報である場合、制御情報には、開口移動方向における走査線の移動量を示す情報が含まれる。
【００８５】
続いて、送信制御部５は、受信する素子制御情報が全素子分に相当する素子制御情報であるか否かを判定する（ステップＳ２０３）。ここで、送信制御部５は、受信する素子制御情報が全素子分に相当する素子制御情報であると判定した場合（ステップＳ２０３、Ｙｅｓ）、全素子分に相当する送信遅延情報を受信する（ステップＳ２０４）。一方、送信制御部５は、受信する素子制御情報が全素子分に相当する素子制御情報ではないと判定した場合（ステップＳ２０３、Ｎｏ）、ステップＳ２０５に移行する。
【００８６】
送信制御部５は、素子制御バッファ５ｂの送信遅延情報更新する（ステップＳ２０５）。例えば、送信制御部５は、ステップＳ２０３で受信する素子制御情報が全素子分に相当する素子制御情報であると判定した場合、全素子分に相当する素子制御情報で素子制御バッファ５ｂの送信遅延情報を更新する。或いは、送信制御部５は、ステップＳ２０３で受信する素子制御情報が全素子分に相当する素子制御情報ではないと判定した場合、１回目の走査時に受信した送信遅延情報をＩＣ４内及びＩＣ４間でシフトして、送信遅延情報を更新する。続いて、送信制御部５は、レートパルスを受信し（ステップＳ２０６）、振動子を駆動させる（ステップＳ２０７）。続いて、送信制御部５は、走査終了するか否かを判定する（ステップＳ２０８）。ここで、送信制御部５は、走査終了しないと判定した場合（ステップＳ２０８、Ｎｏ）、ステップＳ２０１に移行し、制御情報を受信する。一方、送信制御部５は、走査終了すると判定した場合（ステップＳ２０８、Ｙｅｓ）、処理を終了する。
【００８７】
上述したように、第２の実施形態によれば、１回目の走査時には開口させない素子に相当する素子制御バッファ５ｂに、２回目以降の走査で使用する素子制御情報を１回目の走査時に転送する。そして、２回目以降の走査時には制御情報のみを転送し、素子制御情報を転送しない。これにより、第２の実施形態に係る超音波診断装置は、２回目以降の走査時における素子制御情報の転送容量を更に削減することができる。これにより、第２の実施形態に係る超音波診断装置は、素子制御情報の転送時間を更に短縮することができる。
【００８８】
なお、上述した第２の実施形態で説明した素子制御情報を再利用する処理と、第１の実施形態で説明した素子制御情報を再利用する処理とを操作者から選択可能にしてもよい。かかる場合、超音波診断装置は、入力部３０を介して、第１の実施形態で説明した素子制御情報を再利用する処理及び第２の実施形態で説明した素子制御情報を再利用する処理のいずれかの選択を受付ける。そして、例えば、制御部１７は、選択された結果を素子制御情報生成部１１ａ及び送信制御部５に通知する。この結果、素子制御情報生成部１１ａ及び送信制御部５は、操作者により選択された形態で処理を実行する。
【００８９】
（第３の実施形態）
上述した実施形態では、単一の撮像モードで超音波を送受信する場合について説明した。ところで、超音波診断装置では、複数の撮像モードを切り替えながら走査する場合がある。例えば、超音波診断装置は、Ｂモードでの撮影とカラードブラモードでの撮影とを交互に繰り返す場合がある。ここで、送信遅延時間は焦点の距離により異なるので、Ｂモードでの撮影とカラードブラモードでの撮影とで複数の焦点を使った送受信を行って画像形成を行う場合は、走査を切り替えるごとに全ての素子分に相当する素子制御情報を転送することになる。
【００９０】
このようなことから、例えばＢモード撮影用の素子制御バッファと、カラードプラ用の素子制御バッファとをそれぞれ設けてもよいものである。そこで、第３の実施形態では、撮像モードごとに素子制御バッファを設け、撮像条件を交互に切り替えて超音波を送受信する場合について説明する。
【００９１】
第３の実施形態に係る超音波診断装置の構成例は、送信制御部５及び素子制御情報生成部１１ａの一部の機能が異なる点を除いて、図１に示す第１の実施形態に係る超音波診断装置の構成例と同様である。このため、送信制御部５及び素子制御情報生成部１１ａ以外の第３の実施形態に係る超音波診断装置の構成例についての説明は省略する。
【００９２】
第３の実施形態に係る素子制御情報生成部１１ａは、第２の実施形態に係る素子制御情報生成部１１ａが有する機能に加えて、以下の機能を更に有する。すなわち、第３の実施形態に係る素子制御情報生成部１１ａは、いずれの撮像モードにおける素子制御情報を転送するかを示す情報を含んだ制御情報を生成する。例えば、第３の実施形態に係る素子制御情報生成部１１ａは、Ｂモードにおける素子制御情報を転送することを示す制御情報や、カラードプラモードにおける素子制御情報を転送することを示す制御情報を生成し、プローブ内電子回路２に転送する。
【００９３】
次に、図１１を用いて、第３の実施形態に係る送信制御部５の構成例について説明する。図１１は、第３の実施形態に係る送信制御部５の構成例を示すブロック図である。図１１に示すように、第３の実施形態に係る送信制御部５は、バッファ５ａと、素子制御バッファ５ｂと、マトリクススイッチ５ｃと、バッファ５ｄと、素子制御バッファ５ｅと、マトリクススイッチ５ｆとを有する。なお、図１１に示すバッファ５ａは、図５に示すバッファ５ａと同様の機能を有し、図１１に示す素子制御バッファ５ｂは、図５に示す素子制御バッファ５ｂと同様の機能を有し、図１１に示すマトリクススイッチ５ｃは、図５に示すマトリクススイッチと同様の機能を有する。また、図１１に示すバッファ５ｄは、図１１に示すバッファ５ａと同様の機能を有し、図１１に示す素子制御バッファ５ｅは、図１１に示す素子制御バッファ５ｂと同様の機能を有し、図１１に示すマトリクススイッチ５ｆは、図１１に示すマトリクススイッチ５ｃと同様の機能を有する。
【００９４】
図１１に示す例では、バッファ５ａと、素子制御バッファ５ｂと、マトリクススイッチ５ｃとは、例えば、Ｂモード用の素子制御情報の保持と更新に使用され、バッファ５ｄと、素子制御バッファ５ｅと、マトリクススイッチ５ｆとは、例えば、カラードプラモード用の素子制御情報の保持と更新に使用される。
【００９５】
そして、かかる構成において、第３の実施形態に係る送信制御部５は、第２の実施形態に係る送信制御部５が有する機能に加えて、以下の機能を更に有する。すなわち、第３の実施形態に係る送信制御部５は、制御情報を解析し、撮像モードを判定する。第３の実施形態に係る送信制御部５は、判定した撮像モードに対応するバッファ、素子制御バッファ及びマトリクススイッチを用いて、素子制御情報の保持と更新とを実行する。
【００９６】
図１２は、第３の実施形態に係る送信制御部５による処理手順を示すフローチャートである。図１２に示すように、送信制御部５は、制御情報を受信する（ステップＳ３０１）。そして、送信制御部５は、制御情報を解析する（ステップＳ３０２）。ここで送信制御部５は、制御情報として、いずれの撮像モードにおける素子制御情報が転送されるかを示す情報を受信する。また、送信制御部５は、制御情報として、送信遅延情報が転送されることを示す制御情報や送信遅延情報が転送されないことを示す制御情報を受信する。
【００９７】
続いて、送信制御部５は、制御情報のモードを特定する（ステップＳ３０３）。例えば、送信制御部５は、Ｂモードにおける素子制御情報が転送されることを示す制御情報であると特定する。或いは、送信制御部５は、カラードプラモードにおける素子制御情報が転送されることを示す制御情報であると特定する。
【００９８】
そして、送信制御部５は、受信する素子制御情報が全素子分に相当する素子制御情報であるか否かを判定する（ステップＳ３０４）。ここで、送信制御部５は、受信する素子制御情報が全素子分に相当する素子制御情報であると判定した場合（ステップＳ３０４、Ｙｅｓ）、全素子分に相当する送信遅延情報を受信する（ステップＳ３０５）。一方、送信制御部５は、受信する素子制御情報が全素子分に相当する素子制御情報ではないと判定した場合（ステップＳ３０４、Ｎｏ）、ステップＳ３０６に移行する。
【００９９】
送信制御部５は、特定したモードに対応する送信遅延情報更新する（ステップＳ３０６）。例えば、送信制御部５は、ステップＳ３０４で受信する素子制御情報が全素子分に相当する素子制御情報であると判定した場合、全素子分に相当する特定した撮像モード用の送信遅延情報で素子制御バッファ５ｂ（５ｅ）の送信遅延情報を更新する。或いは、送信制御部５は、ステップＳ２０３で受信する素子制御情報が全素子分に相当する素子制御情報ではないと判定した場合、１回目の走査時に受信した送信遅延情報をＩＣ４内及びＩＣ４間でシフトして、特定した撮像モード用の送信遅延情報を更新する。続いて、送信制御部５は、レートパルスを受信し（ステップＳ３０７）、振動子を駆動させる（ステップＳ３０８）。続いて、送信制御部５は、走査終了するか否かを判定する（ステップＳ３０９）。ここで、送信制御部５は、走査終了しないと判定した場合（ステップＳ３０９、Ｎｏ）、ステップＳ３０１に移行し、制御情報を受信する。一方、送信制御部５は、走査終了すると判定した場合（ステップＳ３０９、Ｙｅｓ）、処理を終了する。
【０１００】
上述したように、第３の実施形態では、転送される素子制御情報がいずれの撮像モードにおける素子制御情報であるかを判定し、判定結果に応じて、素子制御情報を格納するバッファを切り替える。これにより、第３の実施形態によれば、撮像条件を交互に繰り返す場合でも、素子制御情報の転送容量を削減することができる。この結果、第３の実施形態に係る超音波診断装置は、素子制御情報の転送時間を短縮することができる。
【０１０１】
なお、第３の実施形態に係る素子制御情報生成部１１ａは、第２の実施形態に係る素子制御情報生成部１１ａが有する機能に加えて、いずれの撮像モードにおける素子制御情報を転送するかを示す情報を含んだ制御情報を生成するものとして説明した。そして、第３の実施形態に係る送信制御部５は、第２の実施形態に係る送信制御部５が有する機能に加えて、制御情報を解析し、撮像モードを判定する機能を有するものとして説明したが、実施形態はこれに限定されるものではない。例えば、第３の実施形態に係る素子制御情報生成部１１ａは、第１の実施形態に係る素子制御情報生成部１１ａが有する機能に加えて、いずれの撮像モードにおける素子制御情報を転送するかを示す情報を含んだ制御情報を生成するものとして説明した。そして、第３の実施形態に係る送信制御部５は、第１の実施形態に係る送信制御部５が有する機能に加えて、制御情報を解析し、撮像モードを判定する機能を有するようにしてもよい。
【０１０２】
また、第３の実施形態では、撮像モードがＢモードとカラードプラモードである場合について説明したが、実施形態はこれに限定されるものではなく、撮像モードを任意に組み合わせてもよい。例えば、撮像モードは、Ｂモードと、パワードプラモードであってもよく、Ｂモードと、歪み画像を生成するエラストモードであってもよい。更に、撮像モードを３つ以上で交互に切り替える場合にも適用可能である。
【０１０３】
（その他の実施形態）
上述した実施形態では、走査線の移動量が１素子である場合について説明したが、実施形態は、これに限定されるものではない。例えば、走査線の移動量は２素子であってもよく、或いは半素子であってもよい。かかる場合、例えば、素子制御情報生成部１１ａは、走査線の移動間隔を示す制御情報を生成し、プローブ内電子回路２に送信する。これにより、例えば、カラードプラでの撮像は粗いので２素子ごとに素子制御情報を移動させ、Ｂモードでの撮像は精細なため素子制御情報を半素子ごとに移動させるなどの制御が可能となる。更に、第３の実施形態と組み合わせることで、Ｂモードでの撮像と、カラードプラでの撮像とでピッチが異なる撮像モードを交互に切り替える場合にも、素子制御情報の転送容量を削減することができる。
【０１０４】
また、上述した実施形態では、素子制御情報のうち送信遅延情報を再利用する場合について説明したが、実施形態はこれに限定されるものではない。例えば、受信遅延情報を再利用してもよい。かかる場合、受信制御部８は、上述したいずれかの実施形態に係る送信制御部５と同様の構成を有し、素子制御情報の更新処理を実行する。
【０１０５】
更に、素子制御情報は、送信遅延情報及び受信遅延情報だけでなく、各振動子が送受信を行うか否かを示す開口情報を再利用することで、素子制御情報の転送容量を低減させてもよい。かかる場合、送信制御部５は、不良素子などの送受信を禁止させる禁止情報を別に持ち、これらの情報から最終的な送受信を制御する。すなわち、送信制御部５は、禁止情報を保持する素子では、開口情報が送受信を行うことを示していても送受信を行わないように制御する。これにより、送信部６或いは受信部９は、素子制御情報が送受信を行うことを示す開口情報である場合であっても、振動子の位置に対応付けて禁止情報が記憶されている場合には、振動子に送信や受信を行わせない。この結果、不良素子による送受信を禁止することができる。
【０１０６】
また、上述した実施形態では、素子制御情報生成部１１ａが装置本体１０の送受信部１１に設けられる場合について説明したが、実施形態はこれに限定されるものではない。例えば、素子制御情報生成部１１ａは、装置本体１０において、送受信部１１の外部に設けられてもよい。
【０１０７】
また、素子制御情報生成部１１ａは、超音波プローブ１内に設けられてもよい。例えば、素子制御情報生成部１１ａは、超音波プローブ１が有するプローブ内電子回路２内に設けられてもよい。かかる場合、素子制御情報生成部１１ａは、装置本体１０の制御部１７から送受信条件を受信し、受信した送受信条件に基づいて、素子制御情報を生成する。なお、素子制御情報は、装置本体１０から超音波プローブ１に転送されることに限定されず、プローブコネクタ部の回路から転送されてもよい。
【０１０８】
また、上述した実施形態では、超音波プローブ１が有する振動子群３が、２次元アレイ型である場合について説明したが、実施形態はこれに限定されるものではない。例えば、振動子群３は、１次元アレイであってもよい。かかる場合、開口移動型走査に素子制御情報をシフトさせる構成を採用しても良い。
【０１０９】
同様に２次元アレイのフェーズドアレイ方向の走査線移動時に対応するために、送信制御部５において、複数の素子制御情報５ｂを有するようにしてもよい。これにより、開口移動方向とフェーズドアレイ方向の走査線移動が組み合わされた場合でも、全素子制御情報の転送の頻度を低減することができる。
【０１１０】
また、上述した実施形態では、プローブ内電子回路２には、複数のＩＣ４が実装される場合について説明したが、実施形態はこれに限定されるものではない。例えば、プローブ内電子回路２は、１つのＩＣ４を実装してもよい。
【０１１１】
また、上述した実施形態では、開口移動方向が一方向である場合について説明したが、実施形態はこれに限定されるものではない。例えば、上述して実施形態では、開口移動方向が１番目の素子から２７番目の素子に向けた一方向（例えば「正方向」とする）である場合について説明したが、開口移動方向は、２７番目の素子から１番目の素子に向けた逆方向（例えば、「負方向」とする）であってもよい。また、開口移動方向は、例えば、走査線移動量を示す情報に符号を付与することで、複数のＩＣ４間で素子制御情報を受け渡す向きを正方向及び負方向で反転させるようにしてもよい。すなわち、送信制御部５は、素子制御情報の開口移動方向における移動方向を変更可能である。
【０１１２】
また、上述した実施形態では、送信制御部５は、バッファ５ａと、素子制御バッファ５ｂと、マトリクススイッチ５ｃとを有する場合を説明したが、実施形態はこれに限定されるものではない。例えば、送信制御部５は、素子制御バッファ５ｂをシフトレジスタで構成するようにしてもよい。
【０１１３】
また、上述した実施形態では、超音波プローブ１は、超音波の送受信を制御するＩＣを内蔵した超音波プローブであるものとして説明したが、実施形態はこれに限定されるものではない。例えば、装置本体１０には、様々な種類の超音波プローブ１を接続可能であり、装置本体１０は、接続された超音波プローブ１の種類を識別可能である。また、かかる場合、送受信部１１は、クロック発生器、分周器、素子制御情報生成部１１ａ、加算器等に加えて、送信遅延部、パルサ、プリアンプ、Ａ／Ｄ（Analog／Digital）変換器、受信遅延部等を有し、超音波プローブ１に駆動信号を供給するようにするとともに、超音波プローブ１が受信した反射波信号に対して各種処理を行って反射波データを生成するようにしてもよい。これにより、装置本体１０には、プローブ内電子回路２を有さない超音波プローブ１が接続された場合でも、走査を行うことが可能となる。
【０１１４】
以上説明した少なくともひとつの実施形態によれば、素子制御情報の転送時間を短縮することができる。
【０１１５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１１６】
１  超音波プローブ
２  プローブ内電子回路
４  ＩＣ
５  送信制御部
５ａ  バッファ
５ｂ  素子制御バッファ
５ｃ  マトリクススイッチ
６  送信部
【図１】
2015131031.tif 000003
【図２】
2015131031.tif 000004
【図３】
2015131031.tif 000005
【図４】
2015131031.tif 000006
【図５】
2015131031.tif 000007
【図６】
2015131031.tif 000008
【図７】
2015131031.tif 000009
【図８】
2015131031.tif 000010
【図９】
2015131031.tif 000011
【図１０】
2015131031.tif 000012
【図１１】
2015131031.tif 000013
【図１２】
2015131031.tif 000014